(57)【要約】【課題】把持部の捩じり強度を高め需要者への普及効果を増大させる。【解決手段】本発明のボタン式清掃具１は、板状の把持部２０とハンドル部５０と払拭体１０から構成され、把持部２０は、長手方向中央に形成された切欠部２４の中に左右の揺動軸２３、２３を有し、受部材３０はハンドル用開口３１とボタン用開口３２を有し、ハンドル部５０はハンドル部下端に連結部材４０が取着され、連結部材４０はハンドル結合用突起４１と受部材挿着用突起４４を突設され、ハンドル結合用突起４１はハンドル部下端に回動自在に取着され、受部材挿着用突起４４の正面には常に突出状態に弾性付勢される突没ボタン４５が配置され、受部材挿着用突起４４をハンドル用開口３１に挿着して突没ボタン４５がボタン用開口３１から突出して受部材３０と連結され、払拭体１０は把持部２０を内装し、把持部２０が揺動軸２３、２３を軸心として揺動可能である。【選択図】図１
2020000626.tif 000002
【特許請求の範囲】
【請求項１】
長手方向の中央部に形成された切欠部に揺動軸を有する板状の把持部で、払拭体に内装して使用され、前記揺動軸を軸心として揺動可能で被清掃面を掃き掃除できる把持部であり、前記揺動軸は前記切欠部の中に位置し且つ前記把持部の側辺に略平行に配置された左右の揺動軸からなり、前記左右の揺動軸が対向する間隙に前記左右の揺動軸と一体で若しくは別体で揺動自在な箱型の受部材が配置され、前記受部材において前記揺動軸と反対側の端面にはハンドル用開口が形成され、前記受部材の正面にはボタン用開口が形成されており、前記揺動軸により前記把持部を垂下させ、前記把持部が前記揺動軸を軸心として揺動可能であることを特徴とするボタン式清掃具の把持部。
【請求項２】
前記受部材の左右の側面に揺動軸が一体に突設されており、前記把持部には前記切欠部の輪郭を形成する左右の切欠端面と切欠底面が形成され、前記左右の切欠端面の夫々には孔部が開孔され、前記左右の揺動軸の夫々を前記左右の孔部の夫々に挿着して前記受部材を前記把持部に取着し、前記左右の揺動軸の夫々は前記左右の孔部の夫々の中で軸回転自在であり、前記受部材も前記左右の揺動軸と一体に前記切欠部の中で揺動自在になる請求項１に記載のボタン式清掃具の把持部。
【請求項３】
前記把持部は厚さ方向に２分割された薄型把持板を面接合して構成され、２枚の前記薄型把持板の左右の切欠端面の夫々には半円孔部が開孔され、２枚の前記薄型把持板を面接合すると両者の半円孔部同士が接合して前記孔部を形成する請求項２に記載のボタン式清掃具の把持部。
【請求項４】
前記薄型把持板は前記切欠底面の部位で左右に分割された２枚の半薄型把持板からなる請求項３に記載のボタン式清掃具の把持部。
【請求項５】
前記把持部には前記切欠部の輪郭を形成する左右の切欠端面と切欠底面が形成され、前記左右の切欠端面の夫々に前記左右の揺動軸が突設され、前記受部材の左右側面の夫々には左右の受孔部が開孔されており、前記左右の揺動軸の夫々を前記左右の受孔部に挿着して前記受部材を前記切欠部の中で揺動自在に構成する請求項１に記載のボタン式清掃具の把持部。
【請求項６】
前記左右の揺動軸の夫々は前記左右の切欠端面に対し突出方向に弾性付勢されて突没自在に構成され、前記受部材が前記切欠部の中で揺動自在に構成される請求項５に記載のボタン式清掃具の把持部。
【請求項７】
請求項１〜６のいずれかに記載される把持部に連結されるハンドル部であり、ハンドル下端には連結部材が取着されており、前記連結部材は少なくともハンドル結合用突起と受部材挿着用突起を相互に反対方向に突設して構成され、前記受部材挿着用突起の正面には常に突出した状態に弾性付勢される突没ボタンが突没自在に配置されており、前記ハンドル結合用突起はハンドル受部に左右方向に回動自在に取着され、前記受部材挿着用突起を前記受部材のハンドル用開口に挿着して前記突没ボタンがボタン用開口から突出して前記受部材と固定されることを特徴とするボタン式清掃具のハンドル部。
【請求項８】
前記ハンドル結合用突起と前記受部材挿着用突起の間には仕切板が介装されており、前記受部材挿着用突起を前記受部材のハンドル用開口に挿着すると前記仕切板が前記ハンドル用開口を閉鎖する請求項７に記載のボタン式清掃具のハンドル部。
【請求項９】
前記ハンドル部を前記把持部から脱離するために前記受部材挿着用突起を前記受部材から分離するには、前記突没ボタンを前記ボタン用開口に押し込んで前記連結部材を引き抜くだけで行える請求項７又は８に記載のボタン式清掃具のハンドル部。
【請求項１０】
請求項１〜６のいずれかに記載される把持部を内装する払拭体であり、前記把持部を払拭体に内装して前記揺動軸を軸心に揺動させて被清掃面を清掃できる払拭体であり、前記払拭体は長手状の筒状布体とその全周面に植設された払拭材から形成され、前記筒状布体の輪郭は長手方向の上側縁と下側縁及び幅方向の二つの端縁から形成され、前記上側縁又は前記下側縁の中央部に中央開口を有し、前記二つの端縁のうち一端縁は開放された端部開口となっており、他端縁は端部開口又は閉鎖された閉端部であり、前記把持部を払拭体に内挿するには、前記把持部を前記端部開口から挿入し、前記受部材を前記中央開口に位置させて前記ハンドル用開口を露出するように構成することを特徴とするの払拭体。
【請求項１１】
板状の把持部とハンドル部と払拭体から構成されるボタン式清掃具であり、前記把持部は、長手方向の中央部に形成された切欠部に揺動軸を有し、前記揺動軸は前記切欠部の中に位置し且つ前記把持部の側辺に略平行に配置された左右の揺動軸からなり、前記左右の揺動軸が対向する間隙に前記左右の揺動軸と一体で若しくは別体で揺動自在な箱型の受部材が配置され、前記受部材において前記揺動軸と反対側の端面にはハンドル用開口が形成され、前記受部材の正面にはボタン用開口が形成されており、前記ハンドル部は、ハンドル下端に連結部材が取着されており、前記連結部材は少なくともハンドル結合用突起と受部材挿着用突起を相互に反対方向に突設して構成され、前記ハンドル結合用突起は前記ハンドル下端に左右方向に回動自在に取着され、前記受部材挿着用突起の正面には常に突出した状態に弾性付勢される突没ボタンが突没自在に配置されており、前記受部材挿着用突起を前記受部材のハンドル用開口に挿着して前記突没ボタンがボタン用開口から突出して前記受部材と固定され、前記払拭体は前記把持部を内装するように装着されており、前記揺動軸により前記把持部を垂下させ、前記把持部が前記揺動軸を軸心として揺動可能であることを特徴とするボタン式清掃具。
【請求項１２】
請求項１〜６のいずれかに記載された把持部と、請求項７〜９のいずれかに記載されたハンドル部と、請求項１０に記載された払拭体から構成されることを特徴とするボタン式清掃具。
【発明の詳細な説明】
【技術分野】
【０００１】
本発明は、床面等の被清掃面を清掃するため清掃具に関し、更に詳細には、被清掃面を押し引き清掃するだけでなく、掃き掃除して清掃できる清掃具、その把持部及び払拭体に関する。
【背景技術】
【０００２】
本願発明が関連する従来技術として、第１に、実公昭６０−０００３６号公報（特許文献１）に記載された「モップ把持具」がある。本願の図１３は特許文献１におけるモップ把持具を示す。（１３Ａ）で、ハンドル１０２は、枠組１０４の中央に配置された水平軸１０５にアーム１０３をクリップ状に係合してモップ支持枠１１１に枢着されている。（１３Ｂ）のアーム１０３では、開口用突片１０９を水平突出させたときに弾性部材１０８が垂下し、押圧片１１０と湾曲部１１１で水平軸１０５を囲繞してロックし、ハンドル１０２を枢着していることが分かる。（１３Ｄ）で、基布１１８の下面にはパイル１１９が密植され、その上面の中央には窓１２０が開口され、水平軸１０５が露出している。モップ支持枠１１１はスリット状の開口部１２１から基布１１８の中に内挿される。
この状態で、アーム１０３が中央の水平軸１０５に係合するから、パイル１１９を被清掃面に対し押し引き清掃できるが、モップが水平軸１０５を軸心として多少揺動しても、箒のような掃き掃除感は無く、基布１１８の下面にしかパイル１１９が無いから、両面で清掃できず、直ぐに汚れてしまう。
【０００３】
第２に、実公昭６０−１６３５１号公報（特許文献２）に記載された「把持具」がある。本願の図１４は特許文献２における把持具２０１を示す。このモップ２１０では、基布２１２の下面にパイル２１１が密植され、その上面には袋部２１３が形成されている。「し」の字状の挿入片２０３を袋部２１３に挿入し、その端部にハンドル２０２を立設して、把持部２０１が完成する。
ハンドル２０２を押下すると弾力性があるから、箒のように掃き掃除ができるが、モップ２１０はハンドル２０２に対し全く揺動しないから、掃き掃除感において劣る。しかも、基布１１８の下面にしかパイル１１９が無いから、両面で清掃できず、直ぐに汚れてしまう弱点がある。
【０００４】
第３に、実公平０６−２５２５５号公報（特許文献３）に記載された「清掃用部材の保持具」がある。本願の図１５は特許文献３における保持具を示す。この保持具では、基布Ｍ２の下面に多数のパイルＭ１からなるモップ本体Ｍが形成され、握り柄３０１の根本付近には細くなった軸に多数の円盤状の差し込み片３０１ｅを多段状に積層している。従って、握り柄３０１が差し込み片３０１ｅの領域で撓み易くなり、ハンドル３０１に対しモップ本体Ｍを左右に振れば揺動することができ、揺動による掃き掃除が可能になる特徴がある。
しかし、モップ本体Ｍは基布Ｍ２の下面にしか存在しないから、多数のパイルＭ１が早期に汚れてしまい、清掃寿命が短い弱点がある。
【０００５】
第４に、実公平０６−３２０５１号公報（特許文献４）に記載された「モップ把持具」がある。本願の図１６は特許文献４におけるモップ把持具を示す。このモップ把持具では、把持具４０１の下面にのみモップを形成し、把持具４０１の上面には枢着部４０４を介して柄４０３が立設されている。特許文献４の特徴は、柄４０３の根元近傍に弾性変形部材４１２を設けている点である。この弾性変形部材４１２はベローズであり、二点鎖線のように左右に、柄４０３を揺動させることができ、揺動による掃き掃除が可能になる特徴がある。
しかし、特許文献３と同様に、モップは把持具４０１の下面にしか存在しないから、多数のパイルが早期に汚れてしまい、清掃寿命が短い弱点がある。
【０００６】
第５に、特許第５５８３４２６号公報（特許文献５）に記載された「払拭体、掃除具及び払拭体の製造方法」がある。本願の図１７ は特許文献５におけるモップ掃除具を示す。このモップ掃除具では、払拭体５０１の全周に開口部５０６を除いてパイル群５０３が植設されており、清掃寿命を長くできる利点を有し、他の特許文献１−４と異なっている。
しかし、ハンドル部５０５の下端にはジョイント部材５０９を介して左右に挿着軸５０４が開閉自在に突設されており、挿着軸５０４を閉じた状態で開口部５０６から挿入し、内挿後に開いて（１７Ａ）の状態にする。以上の構造から、払拭体５０１をハンドル部５０５に対し揺動できないことは明らかであり、掃き掃除することは困難である弱点がある。
【０００７】
第６に、本出願人の先願である特開２０１８−０４７０２１号公報（特許文献６）に記載された「掃き掃除型清掃具並びにその把持具、ハンドル及び払拭体」がある。本願の図１８は特許文献６における掃き掃除型清掃具を示す。この掃き掃除型清掃具は、ハンドル６５０の下端のクリップ部６４０を指６６１で押圧してクリップ部６４０を開き、上下に２本ある軸体６２３、６２４のいずれかに取着する構造であり、クリップによる着脱が簡単で、把持部６２０の配置形態にかかわらず、いずれの軸体６２３、６２４にでもクリップを着脱できる点で優れている。
しかし、把持部６２０は左右の把持体６２１、６２２が中央の２本の軸体６２３、６２４で連結されているため、両手で左右の把持体６２１、６２２を把握したときに、把持部６２０が長手方向を軸として捩じられ易くなり、把持部６２０の耐久性に弱点があった。また、クリップを押圧して開く作業が通常のモップでは浸透していないため、レンタルモップとしての普及力に弱点を有していた。
【先行技術文献】
【特許文献】
【０００８】
【特許文献１】実公昭６０−０００３６号公報
【特許文献２】実公昭６０−１６３５１号公報
【特許文献３】実公平０６−２５２５５号公報
【特許文献４】実公平０６−３２０５１号公報
【特許文献５】特許第５５８３４２６号公報
【特許文献６】特開２０１８−０４７０２１号公報
【発明の概要】
【発明が解決しようとする課題】
【０００９】
前述したように、特許文献１では、把持部中央の水平軸１０５にアーム１０３を係合するから、把持部を被清掃面に押し付けて押し引き清掃できるが、モップが水平軸１０５を軸心として微小に揺動しても、箒のような掃き掃除感は全く無い。しかも、基布１１８の下面にしかパイル１１９が無いから、把持部の上面は清掃機能を有さず、下面が汚れてしまえば交換の必要性が生じ、清掃寿命が短い。
【００１０】
また、特許文献２では、「し」字状の挿入片２０３の弾力性はあっても、モップ２１０はハンドル２０２に対し全く揺動しないから、掃き掃除感がかなり劣る。しかも、袋状部２１３の下面にしかパイル２１１が無いから、両面清掃不能であり、下面が汚れてしまえばモップ交換が必要になり、清掃寿命が短い弱点がある。
【００１１】
更に、特許文献３では、ハンドル３０１の可撓性によりモップ本体Ｍを左右に揺動可能であり、掃き掃除が可能になる。しかし、モップ本体Ｍは基布Ｍ２の下面にしか存在しないから、パイルＭ１が早期に汚れてしまい、清掃寿命が短い。
【００１２】
同じく、特許文献４も、特許文献３と同様に、柄４０３の可撓性によりモップを左右に揺動可能であり、掃き掃除感はある。しかし、モップは把持具４０１の下面にしか存在しないから、清掃寿命が短い弱点は同様である。
【００１３】
特許文献５は、特許文献１−４と異なり、払拭体５０１の全周にパイル群５０３が植設されており、モップの上下面による清掃が可能であり、清掃寿命が長い特徴を有する。しかし、払拭体５０１をハンドル部５０５に対し揺動できないことは明らかであり、掃き掃除は全く不能である弱点を有する。
【００１４】
特許文献６は、全面パイルを使用した掃き掃除型清掃具であるが、構造的な弱点を有している。即ち、把持部６２０は左右の把持体６２１、６２２が中央の２本の軸体６２３、６２４で連結されているため、両手で左右の把持体６２１、６２２を把握したときに、把持部６２０が長手方向を軸として捩じられ易くなり、把持部６２０の耐久性に弱点がある。また、クリップに何らかの力が作用すると突然にクリップが開いて把持部が分離する危険性があった。更に、一般の需要者には、クリップを押圧して開く作業が通常のモップでは浸透していないため、レンタルモップとしての普及力に弱点を有していた。
【００１５】
従って、本発明は、全周面パイルを使用した掃き掃除型清掃具であり、且つ把持部を１本の軸体を有した一枚の把持体から構成して捩じり強度を飛躍的に向上させたものである。また、ハンドルと把持部との連結分離を突没ボタンの指押し動作とハンドルの押し引き動作で構成して連結強度を上げ且つクリップのような突然の事故的な分離を失くすことができ、更に、指押し動作とハンドルの押し引き動作という一般需要者に馴染みやすい構成にしたから、一般家庭や事業所への普及効果を増大させることに成功したものである。
【課題を解決するための手段】
【００１６】
本発明は、上記課題を解決するために為されたものであり、本発明の第１の形態は、長手方向の中央部に形成された切欠部に揺動軸を有する板状の把持部で、払拭体に内装して使用され、揺動軸を軸心として揺動可能で被清掃面を掃き掃除できる把持部であり、揺動軸は切欠部の中に位置し且つ把持部の側辺に略平行に配置された左右の揺動軸からなり、左右の揺動軸が対向する間隙に左右の揺動軸と一体で若しくは別体で揺動自在な箱型の受部材が配置され、受部材において揺動軸と反対側の端面にはハンドル用開口が形成され、受部材の正面にはボタン用開口が形成されており、揺動軸により把持部を垂下させ、把持部が揺動軸を軸心として揺動可能であるボタン式清掃具の把持部である。
【００１７】
本発明の第２の形態は、受部材の左右の側面に揺動軸が一体に突設されており、把持部には切欠部の輪郭を形成する左右の切欠端面と切欠底面が形成され、左右の切欠端面の夫々には孔部が開孔され、左右の揺動軸の夫々を左右の孔部の夫々に挿着して受部材を把持部に取着し、左右の揺動軸の夫々は左右の孔部の夫々の中で軸回転自在であり、受部材も左右の揺動軸と一体に切欠部の中で揺動自在になるボタン式清掃具の把持部である。
【００１８】
本発明の第３の形態は、把持部は厚さ方向に２分割された薄型把持板を面接合して構成され、２枚の薄型把持板の左右の切欠端面の夫々には半円孔部が開孔され、２枚の薄型把持板を面接合すると両者の半円孔部同士が接合して孔部を形成するボタン式清掃具の把持部である。
【００１９】
本発明の第４の形態は、薄型把持板は切欠底面の部位で左右に分割された２枚の半薄型把持板からなるボタン式清掃具の把持部である。
【００２０】
本発明の第５の形態は、把持部には切欠部の輪郭を形成する左右の切欠端面と切欠底面が形成され、左右の切欠端面の夫々に左右の揺動軸が突設され、受部材の左右側面の夫々には左右の受孔部が開孔されており、左右の揺動軸の夫々を左右の受孔部に挿着して受部材を切欠部の中で揺動自在に構成するボタン式清掃具の把持部である。
【００２１】
本発明の第６の形態は、左右の揺動軸の夫々は左右の切欠端面に対し突出方向に弾性付勢されて突没自在に構成され、左右の揺動軸の夫々は左右の切欠端面に対し軸回転不能であり、受部材だけが切欠部の中で揺動自在に構成されるボタン式清掃具の把持部である。
【００２２】
本発明の第７の形態は、第１〜第６形態のいずれかの把持部に連結されるハンドルであり、ハンドル下端には連結部材が取着されており、連結部材は少なくともハンドル結合用突起と受部材挿着用突起を相互に反対方向に突設して構成され、受部材挿着用突起の正面には常に突出した状態に弾性付勢される突没ボタンが突没自在に配置されており、ハンドル結合用突起はハンドル受部に左右方向に回動自在に取着され、受部材挿着用突起を受部材のハンドル用開口に挿着して突没ボタンがボタン用開口から突出して受部材と固定されるボタン式清掃具のハンドル部である。
【００２３】
本発明の第８の形態は、ハンドル結合用突起と受部材挿着用突起の間には仕切板が介装されており、受部材挿着用突起を受部材のハンドル用開口に挿着すると仕切板がハンドル用開口を閉鎖するボタン式清掃具のハンドル部である。
【００２４】
本発明の第９の形態は、ハンドル部を把持部から脱離するために受部材挿着用突起を受部材から分離するには、突没ボタンをボタン用開口に押し込んで連結部材を引き抜くだけで行えるボタン式清掃具のハンドル部である。
【００２５】
本発明の第１０の形態は、第１〜第６形態のいずれかの把持部を内装する払拭体であり、把持部を払拭体に内装して揺動軸を軸心に揺動させて被清掃面を清掃できる払拭体であり、払拭体は長手状の筒状布体とその全周面に植設された払拭材から形成され、筒状布体の輪郭は長手方向の上側縁と下側縁及び幅方向の二つの端縁から形成され、上側縁又は下側縁の中央部に中央開口を有し、二つの端縁のうち一端縁は開放された端部開口となっており、他端縁は端部開口又は閉鎖された閉端部であり、把持部を払拭体に内挿するには、把持部を端部開口から挿入し、受部材を中央開口に位置させてハンドル用開口を露出するように構成する払拭体である。
【００２６】
本発明の第１１の形態は、板状の把持部とハンドル部と払拭体から構成されるボタン式清掃具であり、把持部は、長手方向の中央部に形成された切欠部に揺動軸を有し、揺動軸は切欠部の中に位置し且つ把持部の側辺に略平行に配置された左右の揺動軸からなり、左右の揺動軸が対向する間隙に左右の揺動軸と一体で若しくは別体で揺動自在な箱型の受部材が配置され、受部材において揺動軸と反対側の端面にはハンドル用開口が形成され、受部材の正面にはボタン用開口が形成されており、ハンドル部は、ハンドル下端に連結部材が取着されており、連結部材は少なくともハンドル結合用突起と受部材挿着用突起を相互に反対方向に突設して構成され、ハンドル結合用突起はハンドル下端に左右方向に回動自在に取着され、受部材挿着用突起の正面には常に突出した状態に弾性付勢される突没ボタンが突没自在に配置されており、受部材挿着用突起を受部材のハンドル用開口に挿着して突没ボタンがボタン用開口から突出して受部材と固定され、払拭体は把持部を内装するように装着されており、揺動軸により把持部を垂下させ、把持部が揺動軸を軸心として揺動可能であるボタン式清掃具である。
【００２７】
本発明の第１２の形態は、第１〜第６形態のいずれかの把持部と、第７〜第９形態のいずれかのハンドルと、第１０形態の払拭体から構成されるボタン式清掃具である。
【発明の効果】
【００２８】
本発明の第１の形態によれば、長手方向の中央部に形成された切欠部に揺動軸を有する板状の把持部で、払拭体に内装して使用され、揺動軸を軸心として揺動可能で被清掃面を掃き掃除できる把持部であり、揺動軸は切欠部の中に位置し且つ把持部の側辺に略平行に配置された左右の揺動軸からなり、左右の揺動軸が対向する間隙に左右の揺動軸と一体で若しくは別体で揺動自在な箱型の受部材が配置され、受部材において揺動軸と反対側の端面にはハンドル用開口が形成され、受部材の正面にはボタン用開口が形成されており、揺動軸により把持部を垂下させ、把持部が揺動軸を軸心として揺動可能であるボタン式清掃具の把持部が提供できる。
把持部は１枚の把持板から形成されており、把持板の剛直性により押しや曲げや捩じりに対して高い強度を有しているため、耐久性が強く、長期間にわたって安定して使用できる利点がある。特に、特許文献６に示すように、左右２枚の把持板を中央の２本の揺動軸（軸体）で連結した構造の場合には、特に捩じりに対する耐久性が低いのに対して、本願は格段の耐久力アップの利点がある。
また、把持部の中央の切欠部の中央に左右から１本の揺動軸を突設して、受部材を左右の揺動軸で回動自在に軸支することにより、把持部を揺動軸の回りに揺動自在に構成して掃き掃除を可能にしている。しかも揺動軸により受部材を把持部に一体化して回動自在にしているから受部材が確実かつ強固に把持部と一体化している利点がある。特に、特許文献６の場合には、揺動軸をクリップで狭着するだけであるため、クリップに何らかの力が作用するとクリップが開いて把持部が分離する弱点があった。これに対して、本願では分離することが無くなり、安心且つ安定して長期に亘って掃き掃除清掃を可能にする利点がある。
更に、受部材にハンドル用開口を形成しているから、このハンドル用開口にハンドル部を押し引き挿脱するだけでハンドルを連結でき、一般の需要者が慣れた作業になるため、本願技術は普及力がある。しかも、受部材の正面のボタン用開口に突没ボタンを突没させるだけでハンドルの着脱が可能になり、特許文献６のクリップ操作と比較して、一般の需要者が慣れた作業になり、本願技術の普及力は特許文献６と比較して格段にアップする効果がある。
【００２９】
本発明の第２の形態によれば、受部材の左右の側面に揺動軸が一体に突設されており、把持部には切欠部の輪郭を形成する左右の切欠端面と切欠底面が形成され、左右の切欠端面の夫々には孔部が開孔され、左右の揺動軸の夫々を左右の孔部の夫々に挿着して受部材を把持部に取着し、左右の揺動軸の夫々は左右の孔部の夫々の中で軸回転自在であり、受部材も左右の揺動軸と一体に切欠部の中で揺動自在になるボタン式清掃具の把持部が提供できる。
本発明では、受部材の左右の側面に揺動軸が一体に突設されて、左右の揺動軸の夫々を左右の孔部の夫々に挿着して受部材を把持部に取着しているから、受部材が把持部と強固に連結され、受部材が把持部と分離することは確実になくなった。上述したように、この受部材にハンドルを押し引き操作で挿脱して連結分離させるだけであり、しかも突没ボタンの押圧だけで着脱が可能になるから、一般需要者の操作性と普及性が格段に上がる利点がある。本発明における連結力の強化と着脱操作の容易化は、特許文献６と比較して、遥かに良くなっている。
【００３０】
本発明の第３の形態によれば、把持部は厚さ方向に２分割された薄型把持板を面接合して構成され、２枚の薄型把持板の左右の切欠端面の夫々には半円孔部が開孔され、２枚の薄型把持板を面接合すると両者の半円孔部同士が接合して孔部を形成するボタン式清掃具の把持部が提供できる。
２枚の薄型把持板は面接合することによって係合できる構造を有しており、簡単に１枚構造の把持部を組み立てることができる。しかも、２枚の薄型把持板の左右の切欠端面の夫々に半円孔部を開孔しておけば、２枚の薄型把持板を面接合するだけで両者の半円孔部同士が接合して孔部を簡単に形成することが可能である。従って、量産性の高いボタン式清掃具の把持部を提供することができる。
【００３１】
本発明の第４の形態によれば、薄型把持板は切欠底面の部位で左右に分割された２枚の半薄型把持板からなるボタン式清掃具の把持部が提供できる。
２枚の薄型把持板の夫々が切欠底面の部位で左右に分割された２枚の半薄型把持板からなるので、１枚の薄型把持板は左右に分割された２枚の半薄型把持板を端面で接合させて係合するだけで簡単に組み立てることができる。そして、２枚の薄型把持板を面接合させれば、把持部を構成できる。従って、この場合には、４枚の半薄型把持板から把持部を構成でき、４枚の半薄型把持板を用いて把持部の量産が可能になる利点を有する。
【００３２】
本発明の第５の形態によれば、把持部には切欠部の輪郭を形成する左右の切欠端面と切欠底面が形成され、左右の切欠端面の夫々に左右の揺動軸が突設され、受部材の左右側面の夫々には左右の受孔部が開孔されており、左右の揺動軸の夫々を左右の受孔部に挿着して受部材を切欠部の中で揺動自在に構成するボタン式清掃具の把持部である。
本形態では、揺動軸が左右の切欠端面の夫々に突設され、受部材の左右側面の夫々には受孔部が開孔された構成を有している。そして、左右の揺動軸の夫々を左右の受孔部に挿着して受部材を切欠部の中で揺動自在に構成したものである。
上述したように、揺動軸を受部材の左右側面に突設させてもよいし、本形態のように左右の切欠端面の夫々に突設させてもよいのである。このように、本願発明では、揺動軸の構成の多様性が確保できる利点がある。
【００３３】
本発明の第６の形態によれば、左右の揺動軸の夫々は左右の切欠端面に対し突出方向に弾性付勢されて突没自在に構成され、受部材だけが切欠部の中で揺動自在に構成されるボタン式清掃具の把持部である。
本形態では、左右の切欠端面に突設された左右の揺動軸の夫々は左右の切欠端面に対し突出方向に弾性付勢されて突没自在に構成され必要がある。左右の揺動軸の夫々は通常は突出しているが、受部材の受孔部に挿着する時には、左右の揺動軸を押し込んで切欠部に自由空間を作り、そこに受部材を内入させると、揺動軸の夫々が簡単に受孔部に挿着できる。
このような構造にすれば、揺動軸の突没性を利用して、把持部を分解しなくても、受部材を切欠部の中に簡単に着脱できる利点がある。
【００３４】
本発明の第７の形態によれば、第１〜第６形態のいずれかの把持部に連結されるハンドルであり、ハンドル下端には連結部材が取着されており、連結部材は少なくともハンドル結合用突起と受部材挿着用突起を相互に反対方向に突設して構成され、受部材挿着用突起の正面には常に突出した状態に弾性付勢される突没ボタンが突没自在に配置されており、ハンドル結合用突起はハンドル受部に左右方向に回動自在に取着され、受部材挿着用突起を受部材のハンドル用開口に挿着して突没ボタンがボタン用開口から突出して受部材と固定されるボタン式清掃具のハンドル部が提供できる。
本形態によれば、連結部材のハンドル結合用突起をハンドル受部のハンドル下端に左右方向に回動自在に取着し、連結部材の受部材挿着用突起を前述した受部材に連結するだけで、ハンドルと把持部を回動可能に簡単に連結できる利点を有する。
また、受部材挿着用突起を受部材のハンドル用開口に挿着して突没ボタンをボタン用開口から突出させて受部材と固定すれば、ハンドルと把持部との連結が極めて簡単に行える利点がある。
即ち、受部材挿着用突起を前述した受部材に挿入するだけで、突没ボタンがボタン用開口から突出して受部材と確実に固定できるから、ハンドルの押し引き操作だけでハンドルと把持部の一体化が完成する。このように、一般需要者が慣れている操作でハンドルと把持部の連結が可能になるから、一般市場への普及度が極めて高い利点を有する。しかも、一旦連結すると突没ボタンに触らない限り連結が解除されず、連結強度が極めて高く、耐久性を有した構成を提供できる。
【００３５】
本発明の第８の形態は、ハンドル結合用突起と受部材挿着用突起の間には仕切板が介装されており、受部材挿着用突起を受部材のハンドル用開口に挿着すると仕切板がハンドル用開口を閉鎖するボタン式清掃具のハンドル部である。
受部材挿着用突起を受部材のハンドル用開口に挿着すると仕切板がハンドル用開口を閉鎖するから、清掃作業により生じた粉塵が受部材の中に侵入することがなく、連結機構を正常に保持できる利点がある。また、仕切板がハンドル用開口を閉鎖する位置まで受部材挿着用突起を受部材に押し込んで挿着するだけであるから、ハンドルの押し込み量を意識することなく安全確実に連結操作ができる利点を有する。
【００３６】
本発明の第９の形態によれば、ハンドル部を把持部から脱離するために受部材挿着用突起を受部材から分離するには、突没ボタンをボタン用開口に押し込んで連結部材を引き抜くだけで行えるボタン式清掃具のハンドル部が提供できる。
従って、ハンドル部を把持部から分離するには、突没ボタンをボタン用開口に押し込んで連結部材を引き抜くだけで簡単に分離でき、上述した連結操作の容易性に加えて分離操作も極めて容易に行うことができる利点がある。
【００３７】
本発明の第１０の形態によれば、第１〜第６形態のいずれかの把持部を内装する払拭体であり、把持部を払拭体に内装して揺動軸を軸心に揺動させて被清掃面を清掃できる払拭体であり、払拭体は長手状の筒状布体とその全周面に植設された払拭材から形成され、筒状布体の輪郭は長手方向の上側縁と下側縁及び幅方向の二つの端縁から形成され、上側縁又は下側縁の中央部に中央開口を有し、二つの端縁のうち一端縁は開放された端部開口となっており、他端縁は端部開口又は閉鎖された閉端部であり、把持部を払拭体に内挿するには、把持部を端部開口から挿入し、受部材を中央開口に位置させてハンドル用開口を露出するように構成する払拭体が提供できる。
即ち、本形態では、両端縁が端部開口の場合と、一端縁が端部開口で他端縁が閉端部の場合が含まれる。両端縁が端部開口の場合には、前記板状の把持部を払拭体のいずれの端部開口からでも内挿できる。また、一端縁が端部開口で他端縁が閉端部の場合には、前記把持部を前記端部開口から挿入して閉端部まで内装すればよい。
前記板状の把持部を払拭体に内挿するには、前記把持部を前記端部開口から挿入し、前記受部材が前記中央開口に露出するように配置される。前記受部材を前記中央開口に露出するように配置するだけで、受部材挿着用突起を受部材に挿入すればよく、突没ボタンがボタン用開口から突出して受部材と確実に固定できるから、ハンドルの押し引き操作と突没ボタンの突没性だけでハンドルと把持部の連結と分離が簡単に行える利点を有する。
【００３８】
本発明の第１１の形態によれば、板状の把持部とハンドル部と払拭体から構成されるボタン式清掃具であり、把持部は、長手方向の中央部に形成された切欠部に揺動軸を有し、揺動軸は切欠部の中に位置し且つ把持部の側辺に略平行に配置された左右の揺動軸からなり、左右の揺動軸が対向する間隙に左右の揺動軸と一体で若しくは別体で揺動自在な箱型の受部材が配置され、受部材において揺動軸と反対側の端面にはハンドル用開口が形成され、受部材の正面にはボタン用開口が形成されており、ハンドル部は、ハンドル下端に連結部材が取着されており、連結部材は少なくともハンドル結合用突起と受部材挿着用突起を相互に反対方向に突設して構成され、ハンドル結合用突起はハンドル下端に左右方向に回動自在に取着され、受部材挿着用突起の正面には常に突出した状態に弾性付勢される突没ボタンが突没自在に配置されており、受部材挿着用突起を受部材のハンドル用開口に挿着して突没ボタンがボタン用開口から突出して受部材と固定され、払拭体は把持部を内装するように装着されており、揺動軸により把持部を垂下させ、把持部が揺動軸を軸心として揺動可能であるボタン式清掃具が提供できる。
本形態によれば、第１形態の把持部と、第７形態のハンドル部と、第１０形態の払拭体を組み合わせたボタン式清掃具が提供できるから、上述したように、第１形態の把持部の作用効果と、第７形態のハンドル部の作用効果と、第１０形態の払拭体の作用効果を組み合わせた総合的利点を有する。
【００３９】
本発明の第１２の形態は、第１〜第６形態のいずれかの把持部と、第７〜第９形態のいずれかのハンドルと、第１０形態の払拭体から構成されるボタン式清掃具である。
本形態によれば、第１〜第６形態のいずれかの把持部と、第７〜第９形態のいずれかのハンドル部と、第１０形態の払拭体を組み合わせたボタン式清掃具が提供できるから、上述したように、第１〜第６形態の把持部の作用効果と、第７〜第９形態のハンドル部の作用効果と、第１０形態の払拭体の作用効果を組み合わせた総合的利点を有する。
【図面の簡単な説明】
【００４０】
【図１】図１は、本発明に係るボタン式清掃具１の完成状態の実施形態を説明する全体正面図である。
【図２】図２は、本発明に係るボタン式清掃具１を把持部２０と払拭体１０とハンドル部５０に分解した全体分解正面図である。
【図３】図３は、本発明に係るボタン式清掃具１において、把持部２０を払拭体１０に挿入した状態の分解正面図である。
【図４】図４は、本発明に係るボタン式清掃具１において、揺動軸２３、２３を左右に突設した受部材３０を把持部２０に連結する部分斜視図である。
【図５】図５は、本発明に係るボタン式清掃具１において、揺動軸２３、２３を左右に突設した切欠部２４に受孔部３３、３３を有した受部材３０を連結する部分斜視図である。
【図６】図６は、本発明に係るボタン式清掃具１において、把持部２０を払拭体１０の中に挿着する状態を示す組立正面図である。
【図７】図７は、本発明に係るボタン式清掃具１において、連結部材４０を受部材３０にワンタッチで挿入連結する状態を示す連結斜視図である。
【図８】図８は、本発明に係るボタン式清掃具１において、連結部材４０を受部材３０から手指によりワンタッチで分離する状態を示す分離斜視図である。
【図９】図９は、本発明に係るボタン式清掃具１において、ハンドル部５０の回動性と把持部２０の揺動性を説明する回動揺動説明図である。
【図１０】図１０は、本発明に係るボタン式清掃具１を用いて、被清掃面７０を掃き掃除する掃き掃除説明図である。
【図１１】図１１は、本発明に係るボタン式清掃具１を用いて、被清掃面７０を押し引き清掃する第一例の押し引き清掃説明図である。
【図１２】図１２は、本発明に係るボタン式清掃具１を用いて、被清掃面７０を押し引き清掃する第二例の押し引き清掃説明図である。
【図１３】図１３は、実公昭６０−０００３６号公報（特許文献１）の説明図である。
【図１４】図１４は、実公昭６０−１６３５１号公報（特許文献２）の説明図である。
【図１５】図１５は、実公平０６−２５２５５号公報（特許文献３）の説明図である。
【図１６】図１６は、実公平０６−３２０５１号公報（特許文献４）の説明図である。
【図１７】図１７は、特許第５５８３４２６号公報（特許文献５）の説明図である。
【図１８】図１８は、特開２０１８−０４７０２１号公報（特許文献６）の説明図である。
【発明を実施するための形態】
【００４１】
以下に、本発明に係るボタン式清掃具、その把持部及び払拭体の実施形態を添付する図面に従って詳細に説明する。
【００４２】
図１は、本発明に係るボタン式清掃具１の完成状態の実施形態を説明する全体正面図である。
ボタン式清掃具１の全体構成としては、払拭体１０の中に把持部２０が内装（内挿）されており、ハンドル部５０の先端に連結された連結部材４０を受部材３０にワンタッチで挿着して把持部２０と取着されている。把持部２０の揺動軸２３の周りに受部材３０は回動自在に配置され、把持部２０及び払拭体１０は一体に揺動軸２３の周りに矢印Ｂ方向に揺動自在に配置される。
ここで、払拭体１０は、内部に長手状の中空の袋部１２を有した筒状布体１１を本体とし、筒状布体１１の全周面には払拭材であるパイル１８が植設されている。また、払拭体１０の一端には開放された端部開口１３を有し、他端は閉鎖された閉端部１４となっている。払拭体１０の長手方向の上側縁１５の中央には中央開口１６が開放されており、下側縁１７は全長に亘って閉鎖されている。
【００４３】
把持部２０は一枚板状の把持体２２から構成され、把持体２２の中央には略四角形状の切欠部２４が形成されている。切欠部２４の輪郭は左右両端の切欠端面２４ａ、２４ａと切欠底面２４ｂで構成され、左右の切欠端面２４ａ、２４ａの夫々には揺動軸２３、２３が突設されている。前記受部材３０は揺動軸２３、２３に軸支されて揺動軸２３、２３の周りに回動自在である。
連結部材４０のハンドル結合用突起４１は、ハンドル部５０の下端にある回動軸５４に連結され、連結部材４０の受部材挿着用突起４４は受部材３０に挿着されて、突没ボタン４５が受部材３０の表面上に突出してハンドル部５０の抜脱を阻止している。
【００４４】
ハンドル部５０はハンドル受部５３とハンドル軸５１とグリップ５２が一直線状に構成され、回動軸５４によりハンドル部５０は矢印Ａ方向、即ち左右回動方向に回動できる。ここで、ハンドル部５０はハンドルの全体を指称し、ハンドル軸５１は１本構成でも伸縮可能な複数本構成でもよく、ハンドル受部５３はハンドル軸５１と連結されるハンドル部材であり、グリップ５２は人が把握する部分である。
ハンドル受部５３の下端の回動軸５４には連結部材４０が回動自在に連結され、連結部材４０の受部材挿着用突起４４が前記中央開口１６に配置された受部材３０に挿着されている。その結果、揺動軸２３を軸心として把持部２０は払拭体１０と一体に矢印Ｂ方向、即ち前後回動方向に揺動することができる。ハンドル部５０を手で握って床面等の被清掃面を掃くと、払拭体１０で被覆された把持部２０は清掃方向に揺動し、被清掃面を掃き掃除でき、また被清掃面を押し引き清掃することができる。
【００４５】
図２は、本発明に係るボタン式清掃具１を把持部２０と払拭体１０とハンドル部５０に分解した全体分解正面図である。
上述したように、把持部２０は上側辺２２ａと下側辺２２ｂと切欠部２４を有した板状部材である。切欠部２４の左右の切欠端面２４ａ、２４ａには揺動軸２３、２３が突設され、その間に揺動軸２３、２３を軸心として受部材３０が揺動自在に配置されている。切欠底面２４ｂは上側辺２２ａと下側辺２２ｂに略平行に形成されている。  受部材３０にはハンドル用開口３１とボタン用開口３２が形成されている。
払拭体１０は、中空の袋部１２を内蔵した筒状布体１１の全周面に払拭材であるパイル１８を植設して構成され、一端には開放された端部開口１３を有し、他端は閉鎖された閉端部１４となっている。上側縁１５の中央に中央開口１６を設け、下側縁１７は全長を閉鎖している。
ハンドル部５０のハンドル受部５３の下端には連結部材４０が連結されている。連結部材４０は、仕切板４２の上下にハンドル結合用突起４１と受部材挿着用突起４４を突設して構成されている。受部材挿着用突起４４の表面には常に外方向に弾性付勢されて突出した突没ボタン４５が突設されている。従って、突没ボタン４５は手指で押下することができ、手指を離せば弾性で自発的に突出する機能を有する。ハンドル結合用突起４１はハンドル受部５３の下端に回動軸５４により回動自在に取着されている。
【００４６】
図３は、本発明に係るボタン式清掃具１において、把持部２０を払拭体１０に挿入した状態の分解正面図である。
把持部２０を端部開口１３から袋部１２の中に内挿し、閉端部１４の近傍まで押し込めば、受部材３０が払拭体１０の中央開口１６に露出する位置に配置された状態になる。受部材３０のハンドル用開口３１は、連結部材４０の受部材挿着用突起４４に対し対向した状態に配置されている。
【００４７】
図４は、本発明に係るボタン式清掃具１において、揺動軸２３、２３を左右に突設した受部材３０を把持部２０に連結する部分斜視図である。
受部材３０の両側面には揺動軸２３、２３が突設されており、これに対応して切欠部２４の左右の切欠端面２４ａ、２４ａの夫々には孔部２５、２５が開孔されている。前記揺動軸２３、２３の夫々を対応する孔部２５に挿入することによって、受部材３０が切欠部２４の中で揺動自在に確実に軸支される。
揺動軸２３を孔部２５に挿入するには、３種類の構成がある。第１の挿入構成は、揺動軸２３が受部材３０に対し突没自在に配置される構成である。即ち、手指で揺動軸２３を受部材３０の中に押し込み、切欠部２４の中で手指を離せば、揺動軸２３が弾性で自発的に突出して孔部２５に挿入できる。第２及び第３の挿入構成は、揺動軸２３が受部材３０に固定配置されて突没しない構成である。
【００４８】
第２の挿入構成は、前記把持部２０を厚さ方向に２分割された薄型把持板２１、２１を面接合して係合する構成であり、２枚の前記薄型把持板２１、２１で形成される切欠部２４にある左右の切欠端面２４ａ、２４ａの夫々には半円孔部２５ａ、２５ａが開孔される。従って、１枚の薄型把持板２１の半円孔部２５ａ、２５ａに受部材３０の揺動軸２３、２３を嵌め込み、その上にもう１枚の薄型把持板２１を接合させれば、結果的に２枚の前記薄型把持板２１、２１を面接合してと両者の半円孔部２５ａ、２５ａ同士が自動的に接合され、孔部２５を簡単に形成することができる。従って、量産性の高いボタン式清掃具の把持部を提供することができる。
【００４９】
第３の挿入構成は、把持体２２を厚さ方向に２分割して薄型把持板２１、２１とし、更に前記薄型把持板２１、２１の夫々を切欠底面２４ｂの部位にある切線２６で左右に２枚の半薄型把持板２１ａ、２１ａに分割する構成で、結果的に把持部２０を４枚の半薄型把持板２１ａ、２１ａ、２１ａ、２１ａに４分割する構成である。
２枚の薄型把持板２１、２１の夫々が切線２６で２分割されて、４枚の半薄型把持板２１ａ、２１ａ、２１ａ、２１ａになる。そこでまず、左右の２枚の半薄型把持板２１ａ、２１ａを端面接合して１枚の薄型把持板２１を作り、その薄型把持板２１の半円孔部２５ａ、２５ａに受部材３０の揺動軸２３、２３を嵌め込む。更にその上に、もう１枚の薄型把持板２１を接合させれば、結果的に２枚の前記薄型把持板２１、２１を面接合して両者の半円孔部２５ａ、２５ａ同士が自動的に接合され、孔部２５を簡単に形成することができる。このように、４分割であるから、半円孔部２５ａ、２５ａから簡単且つ高精度に孔部２５を構成でき、受部材３０を左右の孔部２５、２５に組み込んで一体化した把持部２０を容易に構成することができる。
【００５０】
図５は、本発明に係るボタン式清掃具１において、揺動軸２３、２３を左右に突設した切欠部２４に受孔部３３、３３を有した受部材３０を連結する部分斜視図である。
図５の実施例では、把持部２０には切欠部２４の輪郭を形成する左右の切欠端面２４ａ、２４ａと切欠底面２４ｂが形成され、左右の切欠端面２４ａ、２４ａの夫々に左右の揺動軸２３、２３が突設されている。また、受部材３０の左右側面の夫々には左右の受孔部３３、３３が開孔されており、左右の揺動軸２３、２３の夫々を左右の受孔部３３、３３に挿着して、前記受部材３０を前記切欠部２４の中に揺動自在に軸支する。
【００５１】
図５の実施例では、左右の切欠端面２４ａ、２４ａに突設された左右の揺動軸２３、２３の夫々は左右の切欠端面２４ａ、２４ａに対し突出方向に弾性付勢されて突没自在に構成される必要がある。左右の揺動軸２３、２３の夫々は通常は突出しているが、受部材３０の受孔部３３、３３に挿着するときには、左右の揺動軸２３、２３を手指で押し込んで切欠部２４に自由空間を作り、その自由空間に受部材３０を内入させて手指を離すと、揺動軸２３、２３の夫々が簡単に受孔部３３、３３に弾性により自動的に挿着できる。
このような構造にすれば、揺動軸２３、２３の突没性を利用して、把持部２０を分解しなくても、手指操作だけで受部材３０を切欠部２４の中に簡単に着脱できる利点がある。
【００５２】
図６は、本発明に係るボタン式清掃具１において、把持部２０を払拭体１０の中に挿着する状態を示す組立正面図である。
払拭体１０の幅長が狭い場合には、受部材３０が上方を向いていると、受部材３０を払拭体１０に内入させ難い。そこで、（６Ａ）に示すように、把持部２０に取着されている受部材３０を回転させて、ハンドル用開口３１を下方に向けた配置にする。
次に、（６Ｂ）に示すように、把持部２０を払拭体１０の内方に進行させ、受部材３０を中央開口１６の位置まで進める。更に、（６Ｃ）に示すように、受部材３０を逆回転させて、受部材３０のハンドル用開口３１を中央開口１６の出口近傍に配置させる。そうすれば、図３に示されるように、連結部材４０の受部材挿着用突起４４を上記ハンドル用開口３１に挿着し易い。
勿論、払拭体１０の幅長が広い場合には、受部材３０が上方を向いたままでも、受部材３０を払拭体１０に内入させることができ、最終的に（６Ｃ）の状態が簡単に再現できる。
【００５３】
図７は、本発明に係るボタン式清掃具１において、連結部材４０を受部材３０にワンタッチで挿入連結する状態を示す連結斜視図である。
（７Ａ）では、左右に揺動軸２３、２３を突設させてボタン用開口３２とハンドル用開口３１を設けた受部材３０と、回動軸５４とハンドル受部５３を有したハンドル部５０と、ハンドル結合用突起４１と仕切板４２と受部材装着用突起４４と突没ボタン４５から構成された連結部材４０が配置されている。ハンドル結合用突起４１は回動軸５４に回動自在に軸支され、受部材３０と連結部材４０とは分離された状態にある。
（７Ｂ）では、手指の押し込み操作で、連結部材４０の受部材装着用突起４４を受部材３０のハンドル用開口３１に挿着する直前の状態が示されており、突没ボタン４５がやや押し込まれて挿入直前状態に配置されている。
（７Ｃ）では、手指の押し込み操作で、突没ボタン４５がハンドル用開口３１に更に押し込まれて、その弾性に逆らって受部材３０の中に没する直前状態になっている。
（７Ｄ）では、手指の押し込み操作で、突没ボタン４５がハンドル用開口３１に最終位置まで押し込まれて、突没ボタン４５がボタン用開口３２に入り込み、その弾性力で突没ボタン４５がボタン用開口３２から突出した状態が出現している。
この状態で、連結部材４０と受部材３０のロック、換言すればハンドル部５０は把持部２０と完全にロックされ、清掃が可能になる。しかも、不注意で突没ボタン４５を押下しない限り、上記ロック状態は永続的で且つ耐久性があり、清掃作業を連続して行うことができる。
このように、連結部材４０と受部材３０とのロック及びその解除、換言すればハンドル部５０と把持部２０とのロック及びその解除は、ハンドル部５０の押引操作と突没ボタン４５の押圧操作だけで実現できるから、モップ業界では一般の需要者には周知の操作であり、本発明に係るボタン式清掃具の普及度が飛躍的に高まることが期待できる利点がある。
【００５４】
図８は、本発明に係るボタン式清掃具１において、連結部材４０を受部材３０から手指によりワンタッチで分離する状態を示す分離斜視図である。
（８Ａ）では、連結部材４０と受部材３０のロック状態を解除するために、突没ボタン４５を親指６１で押下する状態が示されている。
（８Ｂ）では、親指６１により突没ボタン４５がボタン用開口３２の中に完全に埋没した状態が示されている。この状態で、突没ボタン４５はボタン用開口３２の中に埋没しているから、突没ボタン４５とボタン用開口３２との係合性は完全に無くなっており、ハンドル部５０を右方向に引き抜けばよい。
（８Ｃ）では、ハンドル部５０を右方向に引き抜いた結果、連結部材４０は受部材３０から完全に分離した状態になっている。従って、ハンドル部５０と把持部２０とのロック状態は完全に解除され、ハンドル部５０と把持部２０とは分離されて夫々が独立した最終状態が現出される。
このように、ハンドル部５０の押引操作と突没ボタン４５の押圧操作だけで、ハンドル部５０と把持部２０とのロック及びその解除が実現できるから、モップ業界では一般の需要者には周知の操作により、本発明に係るボタン式清掃具１の普及度が飛躍的に高まることが期待できる利点がある。
【００５５】
図９は、本発明に係るボタン式清掃具１において、ハンドル部５０の回動性と把持部２０の揺動性を説明する回動揺動説明図である。
ハンドル部５０は回動軸５４によりハンドル結合用突起４１と回動自在に連結されており、ハンドル受部５３を含めてハンドル部５０は回動軸５４の周りに矢印Ａ方向に回動自在である。また、把持部２０は揺動軸２３を軸心として矢印Ｂ方向に揺動自在である。
【００５６】
図１０は、本発明に係るボタン式清掃具１を用いて、被清掃面７０を掃き掃除する掃き掃除説明図である。
ボタン型清掃具１のハンドル部５０を手で握って左右に振りながら被清掃面７０を清掃すると、把持部２０は揺動軸２３（軸体）を揺動軸として左右に揺動する。その結果、払拭体１０も左右に揺動し、パイル１８が被清掃面７０に接触して被清掃面７０を掃除することができる。右側方向へ進行しながら矢印Ｃ方向に掃き掃除することもできるし、左側方向へ進行しながら矢印Ｄ方向に掃き掃除することもできる。
【００５７】
図１１は、本発明に係るボタン式清掃具１を用いて、ハンドル部５０を傾斜させて被清掃面７０を押し引き清掃する第一例の押し引き清掃説明図である。
本発明に係るボタン式清掃具１を従来のモップのように押し引き清掃に使用する場合を示している。ハンドル部５０を右上方へ傾斜させながら被清掃面７０に対し払拭体１０の片面のパイル１８を押し付け、矢印Ｅ方向に押し引き清掃することができる。この場合には、把持部２０を揺動させることは無い。
【００５８】
図１２は、本発明に係るボタン式清掃具１を用いて、ハンドル部５０を傾斜させて被清掃面７０を押し引き清掃する第二例の押し引き清掃説明図である。
本発明に係るボタン式清掃具１を従来のモップのように押し引き清掃に使用する場合を示している。ハンドル部５０を左上方へ傾斜させながら被清掃面７０に対し払拭体１０の反対側の片面のパイル１８を押し付け、矢印Ｆ方向に押し引き清掃することもできる。この場合に、把持部２０を揺動させることが無いのは図１１と同様である。
【００５９】
本発明は上記実施形態や実施例に限定されるものではなく、本発明の技術的思想を逸脱しない範囲において、種々の変形例や設計変更などを権利範囲内に包含するものであることは云うまでもない。
【産業上の利用可能性】
【００６０】
本発明に係るボタン式清掃具、その把持部及び払拭体を用いることにより、把持部を揺動させながら被清掃面を箒のように掃き掃除でき、しかも従来のモップのように押し引き清掃も行える清掃具を実現したものである。本発明におけるボタン式清掃具は構造が簡単なので、安価且つ大量に生産できる。従って、企業、病院、学校などの事業所や家庭における清掃用途において広範囲に使用することができる。
【符号の説明】
【００６１】
１            ボタン式清掃具
１０          払拭体
１１          筒状布体
１２          袋部
１３          端部開口
１４          閉端部
１５          上側縁
１６          中央開口
１７          下側縁
１８          パイル（払拭材）
２０          把持部
２１          薄型把持板
２１ａ        半薄型把持板
２２          把持体
２２ａ        上側辺
２２ｂ        下側辺
２３          揺動軸（軸体）
２４          切欠部
２４ａ        切欠端面
２４ｂ        切欠底面
２５          孔部
２５ａ        半円孔部
２６          切線
３０          受部材
３１          ハンドル用開口
３２          ボタン用開口
３３          受孔部
４０          連結部材
４１          ハンドル結合用突起
４２          仕切板
４４          受部材挿着用突起
５０          ハンドル部
５１          ハンドル軸
５２          グリップ
５３          ハンドル受部
５４          回動軸
６１          親指
７０          被清掃面
【図１】
2020000626.tif 000003
【図２】
2020000626.tif 000004
【図３】
2020000626.tif 000005
【図４】
2020000626.tif 000006
【図５】
2020000626.tif 000007
【図６】
2020000626.tif 000008
【図７】
2020000626.tif 000009
【図８】
2020000626.tif 000010
【図９】
2020000626.tif 000011
【図１０】
2020000626.tif 000012
【図１１】
2020000626.tif 000013
【図１２】
2020000626.tif 000014
【図１３】
2020000626.tif 000015
【図１４】
2020000626.tif 000016
【図１５】
2020000626.tif 000017
【図１６】
2020000626.tif 000018
【図１７】
2020000626.tif 000019
【図１８】
2020000626.tif 000020